(57)【特許請求の範囲】
【請求項１】
コンタクトクレイ材が投入される振動機付きのホッパーの下部開口部の下方に、コンタクトクレイ材の圧縮手段としてクレーシリンダーとピストンとを配設し、このクレーシリンダーの吐出側に放出手段として放出シリンダーを備えるカッティングシリンダーを連設したことを特徴とするコンタクトクレイ材の塊製造装置。
【請求項２】
前記ホッパー、圧縮手段および放出手段はＨ鋼などを用いる架台上に設置される請求項１記載のコンタクトクレイ材の塊製造装置。
【請求項３】
前記カッティングシリンダーは、内部形状を弾丸形状に形成し、内径をクレーシリンダーの内径よりも小さく形成した請求項１または請求項２に記載のコンタクトクレイ材の塊製造装置。
【請求項４】
前記カッティングシリンダーは、クレーシリンダーに対して垂直方向に回動自在に設けられ、垂直の回動位置でクレーシリンダーとの連結部が下部に位置して放出用の開口部となる請求項１から請求項３のいずれかに記載のコンタクトクレイ材の塊製造装置。
【発明の詳細な説明】
【技術分野】
【０００１】
本発明は、ダムの基礎岩盤に貼り付けるコンタクトクレイ材を塊に製造する装置に関するものである。
【背景技術】
【０００２】
河川およびその両岸を掘削することにより露出させた岩盤上にロックフィルダムを築造する場合、その堤体と岩盤との間の水密性および地震時などの変形追随性を確保するため、基礎岩盤の着岩部の盛立は、着岩部に５〜１０ｃｍの厚さで細粒で粘性の高い着岩材料を貼り付ける。
【０００３】
この細粒で粘性の高い材料、すなわちコンタクトクレイ材で施工することがある。
【０００４】
コンタクトクレイ材をダムの基礎岩盤に貼り付ける方法のひとつとして、従来からコンタクトクレイ材を球状の塊とし、これを人力で貼り付け箇所に投げつけて木槌で叩いて整形する方法がある。しかし、この方法はコンタクトクレイ材を塊状にする作業に手間を要する。
【０００５】
そこで、塊を使用する際の作業能率を高めるべく、コンタクトクレイ材を塊にして噴出する装置として、特許文献１に開示の装置がある。
【０００６】
これは、コンタクトクレイ材を圧送するポンプと、このポンプから圧送されるコンタクトクレイ材を所定箇所に導くたわみ可能な前記ポンプに接続されるパイプと、このパイプの先端部に取り付けられ、前記パイプの軸線と交差する方向へ移動可能、かつ、円柱状の連続体を切断可能なスライドゲートとを備えるものであり、これらは自走式台車に搭載される。
【特許文献１】特開平９−２７３１３５号公報
【発明の開示】
【発明が解決しようとする課題】
【０００７】
前記特開平９−２７３１３５号公報に記載の従来技術は、キャタピラを有する走行部と、走行部に旋回可能に支持される架台部とからなる自走式台車に搭載されるものであり、重量が大きくハンドリングが悪く、施工時に岩盤を傷めないようにするためには、基礎岩盤上に自走式台車を載せることが出来ず、施工範囲が制約されることがある。
【０００８】
本発明は前記従来例の不都合を解消するものとして、全体をコンパクトにでき、ハンドリングがよく、施工範囲が制約されるおそれのないコンタクトクレイ材の塊製造装置を提供することにある。
【課題を解決するための手段】
【０００９】
本発明は前記目的を達成するものとして、請求項１記載の発明は、コンタクトクレイ材が投入される振動機付きのホッパーの下部開口部の下方に、コンタクトクレイ材の圧縮手段としてクレーシリンダーとピストンとを配設し、このクレーシリンダーの吐出側に放出手段として放出シリンダーを備えるカッティングシリンダーを連設したことを要旨とするものである。
【００１０】
請求項１記載の本発明によれば、コンタクトクレイ材をホッパーに投入すれば、クレーシリンダーで圧縮され、このクレーシリンダーから吐出された圧縮状態のコンタクトクレイ材は、続けてカッティングシリンダーでカットされて塊状となって自動的に放出される。このようにシリンダーを連続させて接続したコンパクトな装置でコンタクトクレイ材を塊状に形成できるから、ハンドリングがよい。
【００１１】
請求項２記載の発明は、前記ホッパー、圧縮手段および放出手段はＨ鋼などを用いる架台上に設置されることを要旨とするものである。
【００１２】
請求項２記載の本発明によれば、コンタクトクレイ材を塊状にする機構は、Ｈ鋼などを使用した架台上に設置されるから、装置の全体重量が大きくなく、汎用重機などで容易に移設可能で、施工範囲が制約されない。
【００１３】
請求項３記載の発明は、前記カッティングシリンダーは、内部形状を弾丸形状に形成し、内径をクレーシリンダーの内径よりも小さく形成したことを要旨とするものである。
【００１４】
請求項３記載の本発明によれば、コンタクトクレイ材はクレーシリンダー内でさらに圧縮され、所定の塊形状に確実に形成される。
【００１５】
請求項４記載の発明は、前記カッティングシリンダーは、クレーシリンダーに対して垂直方向に回動自在に設けられ、垂直の回動位置でクレーシリンダーとの連結部が下部に位置して放出用の開口部となることを要旨とするものである。
【００１６】
請求項４記載の本発明によれば、コンタクトクレイ材は下方に向けて開口する開口部から放出されるから、例えばこの下方にシュートを配設すれば、コンタクトクレイ材の塊を一箇所に集めることができ、施工性がよい。
【発明の効果】
【００１７】
以上述べたように本発明のコンタクトクレイ材の塊製造装置は、シリンダーを連続させて接続することで装置全体をコンパクトにでき、ハンドリングがよく、施工範囲が制約されるおそれがなく、施工性を向上できるものである。
【発明を実施するための最良の形態】
【００１８】
以下、図面について本発明の実施形態を詳細に説明する。図１は本発明のコンタクトクレイ材の塊製造装置の実施形態を示す縦断正面図、図２は同上平面図、図３は同上一部切欠いた側面図で、本発明のコンタクトクレイ材の塊製造装置は、コンタクトクレイ材の投入手段、圧縮手段および放出手段とで構成される。
【００１９】
投入手段は、ホッパー１であり、このホッパー１には振動機２が付設され、下部開口が吐出部となり、その下方に圧縮手段としてのクレーシリンダー３が水平に配設され、このクレーシリンダー３の上部に形成した開口がホッパー１の吐出部に連通する。
【００２０】
クレーシリンダー３の一方の端部にはピストン４が接続され、このピストン４に当該ピストン４を動作させるためのクレー押油圧シリンダー５が接続される。
【００２１】
また、ピストン４内を貫通してクレーシリンダー3内に水と空気を送るための送水管６と送気管７とが配管される。
【００２２】
これらのクレーシリンダー３、ピストン４、クレー押油圧シリンダー５は、Ｈ鋼による架台８上に設置される。
【００２３】
クレーシリンダー３の他端に放出手段として、先端に放出シリンダー１０を接続したカッティングシリンダー９を接続する。
【００２４】
このカッティングシリンダー９は、内径をクレーシリンダー３の内径よりも小さく形成するとともに、内部形状を弾丸形状とする。図示の例では弾丸形状のサイズは、直径９７ｍｍ、長さ１３０ｍｍ、先端の半球状部はＲ５０である。
【００２５】
そして、このカッティングシリンダー９はクレーシリンダー３に対して垂直方向に回動自在に装着され、クレーシリンダー３と接続する開口部が、垂直の回動状態で下方に位置し、塊状となったコンタクトクレイ材１１の吐出部となる。図中１２はカッティングシリンダー９を回動させるためのカッティング油圧シリンダーを示す。
【００２６】
前記装置を使用してコンタクトクレイ材を塊状にする方法を説明する。圧縮手段や放出手段等を搭載した架台８を施工現場に搬入し、ホッパー１内にコンタクトクレイ材１１を投入すれば、振動機２により振動を加えられたホッパー１により篩われるようにしてホッパー１内のコンタクトクレイ材１１が下方のクレーシリンダー３内に投入される。
【００２７】
クレーシリンダー３内に投入されたコンタクトクレイ材１１はクレー押油圧シリンダー５で作動するピストン４により圧縮される。このとき、クレーシリンダー３内には送水管６と送気管７とにより水と空気が供給され、コンタクトクレイ材１１がクレーシリンダー３内に付着することを低減するとともに、クレーシリンダー３内を洗浄する。
【００２８】
クレーシリンダー３内で圧縮されたコンタクトクレイ材１１は、ピストン４でそのままカッティングシリンダー９内へと押し出され、このカッティングシリンダー９内で弾丸形状に整形される。
【００２９】
よって、カッティング油圧シリンダー１２を動作させてカッティングシリンダー９を９０度回転すれば、圧縮されたコンタクトクレイ材１１をカッティングすると同時に、カッティングシリンダー９のクレーシリンダー３との接続のための開口部が下方に位置する。この状態で放出シリンダー１０を動作させれば、前記開口部が放出部となって、ここから弾丸形状の塊となったコンタクトクレイ材１１が自動的に押し出される。
【００３０】
このようにして弾丸形状の塊となったコンタクトクレイ材１１をカッティングシリンダー９の放出口から放出させる。この場合、放出口の下方にコンパネなどを利用するシュートを設置しておけば、放出シリンダー１０で押し出されたコンタクトクレイ材１１を一箇所に集めることができる。
【００３１】
塊状のコンタクトクレイ材１１は人力で着岩部に貼り付け押し付けて施工する。
【００３２】
かかる装置は全体を架台８に搭載し、コンパクトにまとめたから、汎用重機で容易に任意の箇所に移設可能で、施工範囲が規制されることもなく、ハンドリングのよいものである。
【図面の簡単な説明】
【００３３】
【図１】本発明のコンタクトクレイ材の塊製造装置の実施形態を示す縦断正面図である。
【図２】本発明のコンタクトクレイ材の塊製造装置の実施形態を示す平面図である。
【図３】本発明のコンタクトクレイ材の塊製造装置の実施形態を示す一部切欠いた側面図である。
【符号の説明】
【００３４】
１  ホッパー                    ２  振動機
３  クレーシリンダー            ４  ピストン
５  クレー押油圧シリンダー      ６  送水管
７  送気管                      ８  架台
９  カッティングシリンダー      １０  放出シリンダー
１１  コンタクトクレイ材        １２  カッティング油圧シリンダー
【図１】
0004648178.tif 000002
【図２】
0004648178.tif 000003
【図３】
0004648178.tif 000004